(57)【要約】      （修正有）【課題】簡単な構成でクリック感が得られると共に、駆動竜頭の不用意な回転を抑制可能な時計を提供する。【解決手段】腕時計１０は、ケース１２の外側に突出し、先端部が径方向に弾性変形可能な弾性材巻真パイプ４４と、弾性材巻真パイプ４４に回転可能に挿通される駆動竜頭５６の軸部材５８と、駆動竜頭５６の周面に形成された突起と、弾性材巻真パイプ４４の周面に形成され突起と係合する谷部と、を有している。【選択図】図４
2019152620.tif 000002
【特許請求の範囲】
【請求項１】
ケースの外側に突出し、先端部が径方向に弾性変形可能な筒部材と、
前記筒部材に回転可能に挿通される竜頭と、
前記筒部材及び前記竜頭の何れか一方の周面に形成された凹凸部と、
前記筒部材及び前記竜頭の何れか他方の周面に形成され、かつ前記凹凸部と係合する係合部と、
を有する時計。
【請求項２】
前記筒部材における弾性変形可能な部分は、前記筒部材の先端側から基端側に向けて延び、かつ周方向に間隔を開けて形成された複数の溝で周方向に分割した分割片によって構成されている、請求項１に記載の時計。
【請求項３】
前記分割片には、前記基端側に、前記先端部側よりも薄い薄肉部が形成されている、請求項２に記載の時計。
【請求項４】
前記竜頭は、軸部材と、前記軸部材の先端に接続され前記ケース側が開放されるキャップ状の頭部と、を備え、
前記頭部の内周部に前記係合部としての突起が形成され、
前記筒部材の外周部に前記凹凸部が形成されている、請求項１〜請求項３の何れか１項に記載の時計。
【請求項５】
前記竜頭は、軸部材と、前記軸部材の先端に接続され前記ケース側が開放されるキャップ状の頭部と、を備え、
前記軸部材の外周部に前記凹凸部が形成され、
前記筒部材の内周部に前記係合部が形成されている、請求項１〜請求項３の何れか１項に記載の時計。
【発明の詳細な説明】
【技術分野】
【０００１】
本発明は、時計の構造に関する。
【背景技術】
【０００２】
例えば、従来一般の内転リング付きの時計では、駆動竜頭の軸に設置した内転歯車と内転リングに形成した歯車とを噛合わせ、駆動竜頭の回転により自由に内転リングの回転位置を決めることが出来たが、駆動竜頭を回転させる際に操作感がなかった。即ち、駆動竜頭内のパッキンの抵抗と部品間の摩擦のみで駆動竜頭の回転位置、即ち、内転リングの回転位置が保持されており、駆動竜頭を回転させる際の指の感覚がフリー、言い換えれば、一定の抵抗があるのみであった。
【０００３】
先行技術文献（例えば、特許文献１参照）の時計には、駆動竜頭の軸に凹凸部を有する可動歯車がスライド自在に取り付けられ、ケースに設置された円筒に可動歯車に対応して凹凸部を有する固定歯車と、可動歯車の凹凸部を固定歯車の凹凸部に押し付けるバネ部材を備えた回転操作装置が設けられている。これにより、先行技術文献の時計では、駆動竜頭を回転操作する際にクリック感が得られるようになっている。
【先行技術文献】
【特許文献】
【０００４】
【特許文献１】特開２０１７−３２２８６号公報
【発明の概要】
【発明が解決しようとする課題】
【０００５】
しかしながら、先行技術文献の回転操作装置では、可動歯車の凹凸部を固定歯車の凹凸部に押し付けるためのバネ部材が必要になることで、従来一般の時計よりも部品点数が増え、コストが掛かってしまうため、改善の余地があった。
さらに、先行技術文献の回転操作装置では、可動歯車の挿入孔とこの挿入孔に挿入される駆動竜頭の軸部との間に、軸部をスライドさせるための隙間があるため、可動歯車が静止していても駆動竜頭が回転方向に微小に回転するため、言い換えれば、駆動竜頭が回転方向にがたつくため、改善の余地があった。
【０００６】
本発明は上記事実を考慮し、簡単な構成でクリック感が得られると共に、竜頭の不用意な回転を抑制可能な時計の提供を目的とする。
【課題を解決するための手段】
【０００７】
請求項１に記載の時計は、ケースの外側に突出し、先端部が径方向に弾性変形可能な筒部材と、前記筒部材に回転可能に挿通される竜頭と、前記筒部材及び前記竜頭の何れか一方の周面に形成された凹凸部と、前記筒部材及び前記竜頭の何れか他方の周面に形成され、かつ前記凹凸部と係合する係合部と、を有する。
【０００８】
請求項１に記載の時計において、作業者が、竜頭を意図的に回転させてケース内の機構に操作力を伝達させるとき以外の非操作時において、凹凸部に係合部を係合させた状態とすることで、竜頭の不用意な回転を抑制することができる。
【０００９】
このように、凹凸部と係合部とを係合させた状態では、竜頭を一方側、及び他方側の何れの方向に回転させようとしても、筒部材を変形させて凹凸部と係合部との係合を解除させなければ竜頭は回転しない。
【００１０】
凹凸部と係合部とを係合させた状態で筒部材を弾性変形させるには、ある程度の回転力（トルク）を竜頭に付与しなければならないため、竜頭が何らかの物体に接触した程度の力で竜頭が回転してしまうことを抑制できる。これにより、竜頭に連結された機構が不用意に動くことが抑制される。
【００１１】
一方、竜頭を回転させる場合には、凹凸部と係合部との係合を解除するように竜頭を指で撮んで竜頭を強制的に回転させればよい。竜頭を強制的に回転させると、筒部材が弾性変形して凹凸部と係合部との係合が解除されると共に、クリック感が得られる。
【００１２】
また、請求項１に記載の時計によれば、竜頭の不用意な回転の抑制を、筒部材と竜頭とを組み合わせた簡単な構成で実現できる。
【００１３】
請求項２に記載の発明は、請求項１に記載の時計において、前記筒部材における弾性変形可能な部分は、前記筒部材の先端側から基端側に向けて延び、かつ周方向に間隔を開けて形成された複数の溝で周方向に分割した分割片によって構成されている。
【００１４】
請求項２に記載の時計によれば、筒部材の一部分を、筒部材の先端側から基端側に向けて延びる複数の溝によって周方向に分割することで分割片が得られている。このようにして形成された分割片は、径方向に弾性変形し易い弾性変形部となる。また、弾性変形部は、筒部材に溝を加工して形成することができるので、弾性変形部を筒部材とは別体の部品として用意する必要がなく、部品点数を増やすことが無い。
【００１５】
請求項３に記載の発明は、請求項２に記載の時計において、前記分割片には、前記基端側に、前記先端部側よりも薄い薄肉部が形成されている。
【００１６】
請求項３に記載の時計によれば、分割片の基端側に薄肉部を形成することで、分割片は、薄肉部を形成しない場合に比較して径方向へ弾性変形し易くなる。また、薄肉部の厚さの調整で、分割片の変形のし易さ（ばね定数）を調整することができ、竜頭の回り難さ、言い換えれば、竜頭を回転させる際に必要なトルクを調整することができる。
【００１７】
請求項４に記載の発明は、請求項１〜請求項３の何れか１項に記載の時計において、前記竜頭は、軸部材と、前記軸部材の先端に接続され前記ケース側が開放されるキャップ状の頭部とを備え、前記頭部の内周部に前記係合部としての突起が形成され、
前記筒部材の外周部に前記凹凸部が形成されている。
【００１８】
請求項４に記載の時計によれば、竜頭の突起を、筒部材の外周部に形成された凹凸部に係合させておくことで、竜頭の不用意な回転を抑制することができる。
【００１９】
請求項５に記載の発明は、請求項１〜請求項３の何れか１項に記載の時計において、前記竜頭は、軸部材と、前記軸部材の先端に接続され前記ケース側が開放されるキャップ状の頭部とを備え、前記軸部材の外周部に前記凹凸部が形成され、前記筒部材の内周部に前記係合部が形成されている。
【００２０】
請求項５に記載の時計によれば、軸部材の外周部に形成された凹凸部に、筒状部材の係合部を係合させておくことで、竜頭の不用意な回転を抑制することができる。
【発明の効果】
【００２１】
以上説明したように本発明の時計によれば、簡単な構成でクリック感が得られると共に、竜頭の不用意な回転を抑制することができる、という優れた効果を有する。
【図面の簡単な説明】
【００２２】
【図１】本発明の第１の実施形態に係る腕時計を示す分解斜視図である。
【図２】第１の実施形態に係る腕時計を示す一部を断面にした正面図である。
【図３】図２に示す腕時計の３−３線断面図である。
【図４】第１の実施形態に係る腕時計の駆動竜頭付近を示す分解斜視図である。
【図５】図３に示す腕時計の５−５線断面図である。
【図６】第１の実施形態に係る腕時計の駆動竜頭を示す斜視図である。
【図７】本発明の第２の実施形態に係る腕時計の要部を示す断面時である。
【図８】図７に示す腕時計の８−８線断面図である。
【図９】第２の実施形態に係る腕時計の駆動竜頭付近を示す分解斜視図である。
【図１０】第２の実施形態に係る腕時計の駆動竜頭の頭部を示す斜視図である。
【図１１】第３の実施形態に係る腕時計の駆動竜頭、軸部、及び弾性材巻真パイプを示す断面図である。
【発明を実施するための形態】
【００２３】
［第１の実施形態］
本発明の第１の実施の形態を図１〜図６を参照して説明する。
図１、及び図２に示すように、腕時計１０は、外装をなすケース１２を備える。なお、腕時計１０のベルトは図示を省略している。
【００２４】
図２及び図３に示すようにケース１２内に、文字板１４、時刻を指し示す時刻表示針１６の動きを制御するムーブメント１８、及び被回転体、例えば内転リング２０等の機構が収められている。ムーブメント１８は、ムーブメント保持リング１９Ａ、及び中枠１９Ｂと共にケース１２の内部に収容されている。被回転体は、後述する内転リング２０に制約されず、ケース１２内に回転可能に収容されて、ケース１２の外部からの操作に連動して回転される部材であればよい。
【００２５】
図２に示すように、文字板１４は、円形で、周部に時刻表示目盛２２を有する。図３に示すように、本実施形態の時刻表示針１６は、時針１６Ａ、分針１６Ｂ、秒針１６Ｃを含んで構成されている。
【００２６】
図２に示すように腕時計１０の３時方向において、時刻修正竜頭２４がケース１２に対して回転可能に取付けられている。時刻修正竜頭２４はケース１２の外部で回転操作される。時刻修正竜頭２４の回転は、例えば、分針１６Ｂを回転させるためにムーブメント１８が有する図示しない輪列に与えられ、分針１６Ｂの位置が調整される。
【００２７】
内転リング２０は、文字板１４の周部表面側に回転可能に配設されている。内転リング２０は、例えば、合成樹脂製で、図２に示すように平面視リング状である。図３に示すように、内転リング２０の外径は文字板１４の直径(外径）より大きく、内転リング２０の内径は文字板１４の直径より小さい。
【００２８】
図３に示すように、内転リング２０の厚みは、内周から外周に向けて次第に増えている。それにより形成された内転リング２０の斜状でかつ環状をなす表面は表示面２０Ａとされ、この表示面２０Ａに、図１に示すように表示２６が設けられている。表示２６は、例えば内転リング２０の周方向に沿って等間隔に印刷などにより設けられた目盛である。内転リング２０の回転により所定の位置に動かされた表示２６と時刻表示針１６との相対位置の変化によって、例えば所定時間からの経過時間を計測するタイマー機能を得ることができる。
【００２９】
内転リング２０の表示２６は、目盛に限らず、互いに異なる色で区分された複数の表示領域であってもよい。或いは、複数の無地の表示領域の夫々に描かれたシンボル（例えば日中のイメージを表す太陽のシンボルや、日没後のイメージを表す月のシンボル等）を、表示２６とすることもできる。更に、表示２６は、タイマー機能用ではなく、簡易な方位測定を可能とするための方位表示（Ｎ、Ｗ、Ｓ、Ｅ等）であってもよい。
【００３０】
なお、既述のように内転リング２０は平面視リング状であることが好ましいが、これに制約されない。内転リング２０が平面視リング状である場合、平面視無端形状であっても、両端を有しこれらの端が対向されて平面視Ｃの字形状をなしていても差し支えない。
【００３１】
図１、及び図３に示すように内転リング２０の裏面側には、外周縁近傍に被動歯車部２８が設けられている。被動歯車部２８は、いわゆる冠歯車であり、内転リング２０の半径方向（放射方向）に沿って延びる複数の歯が周方向に等間隔に形成されている。なお、被動歯車部２８は、文字板１４の外周縁よりも径方向外側に位置している。
【００３２】
図３に示すように、ケース１２は、環状に形成された胴１２Ａの厚み方向の表面側に、環状のガラス縁３０が環状のガラス縁固定パッキン３２を介して液密に装着されている。ガラス縁３０の内周側には、環状のガラス固定パッキン３４を介して透視カバーとしての円形のガラス３６が液密に装着されている。このガラス３６を通して文字板１４、時刻表示針１６、及び内転リング２０が透視可能となっている。
【００３３】
また、ケース１２は、胴１２Ａの厚み方向の裏面側に、裏ぶた３８が環状のパッキン３９を介して液密に装着されている。本実施形態の裏ぶた３８は、所謂スクリューバックである。なお、ケース１２は、ステンレス鋼やチタンなどの金属製であることが好ましいが、合成樹脂製、セラミックス製等であってもよい。
【００３４】
ガラス縁３０の内周部には、径方向内側に向けて突出する環状凸部４０が形成されている。ガラス３６は、外周面が環状凸部４０の時計表面側のガラス縁３０の内周部に接触すると共に、周部裏面が環状凸部４０に接触してガラス縁３０に支持されている。
【００３５】
この環状凸部４０は、内転リング２０の外周部を時計表面側から覆っている。これにより、内転リング２０は、文字板１４と環状凸部４０に対して、回転可能、かつ腕時計１０の厚み方向に動かないように支持されている。更に、環状凸部４０の裏側に位置するガラス縁３０の内周面が内転リング２０の外周面に接近しており、これにより、内転リング２０は、径方向に動かないようにガラス縁３０に支持されている。
【００３６】
（クリック機構）
胴１２Ａには、時刻修正竜頭２４の取付け位置からずれた位置、本実施形態では４時方向(図２参照）に、図３、及び図４に示すように、半径方向に貫通する貫通孔４２が形成されている。この貫通孔４２には、弾性材巻真パイプ４４が挿入されている。
【００３７】
弾性材巻真パイプ４４は、大径部４４Ａと小径部４４Ｂとを有する段付きの円筒形状に形成されており、小径部４４Ｂが貫通孔４２に挿入されて接着剤等で固定されている。弾性材巻真パイプ４４の大径部４４Ａは、その小径部４４Ｂ側の端面をケース１２の外面に接触させた形態で、ケース１２の外部に配置されている。なお、大径部４４Ａと反対側の小径部４４Ｂの端部は、ケース１２の内側に突出されている。
【００３８】
図４、及び図５に示すように、大径部４４Ａの外周面には、筋目ローレット４６が形成されている。筋目ローレット４６には、軸方向に沿って延びる山形(本実施形態では三角形）の歯４６Ａが周方向に等間隔で配置されている。本実施形態では、大径部４４Ａの外周面に１８個の歯４６Ａが形成されている。歯４６Ａは、先細り形状が好ましく、三角形に制約されず、例えば、三角形の先端が丸みを帯びて形成されていてもよく、二等辺台形状等であってもよい。ここで、歯４６Ａと歯４６Ａとの間の凹部分は、本明細書において、谷部４８と呼ぶ。なお、本実施形態の歯４６Ａ、及び谷部４８は、本発明の凹凸部の一例である。
【００３９】
図４、及び図５に示すように、大径部４４Ａには、軸方向に沿って延びる４つの割り溝５０が、周方向に９０度間隔で形成されている。割り溝５０は、大径部４４Ａの小径部４４Ｂ側とは反対側の端部から、段付き部分の近傍まで形成されている。即ち、割り溝５０の溝底は、段付き部分の近傍に位置している。
【００４０】
図５に示すように、大径部４４Ａにおいて、割り溝５０と割り溝５０との間は、軸方向から見て円弧形状とされた弾性変形片５２とされている。
【００４１】
図３、及び図４に示すように、大径部４４Ａの外周面には、割り溝５０の溝底の外側に環状溝５４が形成されており、弾性変形片５２の基部の厚みを減少させている。この弾性変形片５２の厚みが減少した部分が、本発明の薄肉部の一例である。これにより、弾性変形片５２は、環状溝５４を支点として径方向内外方向に傾斜するように弾性変形可能となっている。なお、本実施形態の弾性材巻真パイプ４４は、一例としてステンレススチール等の金属材料を切削加工することで形成することができる。
【００４２】
図３、及び図６に示すように、弾性材巻真パイプ４４の小径部４４Ｂには、駆動竜頭５６に一体的に連結された軸部材５８が挿入されている。駆動竜頭５６は、内転リング２０を回転させるために用いられ、駆動竜頭５６をケース１２の外部で回転させると、内転リング２０が連動して回転するようになっている。なお、駆動竜頭５６、及び軸部材５８が、本発明の竜頭の一例であり、駆動竜頭５６が本発明の頭部の一例である。
【００４３】
頭部としての駆動竜頭５６は、リング状の周壁６２と、この周壁６２の一端を閉じる端壁６４を有するキャップ状に形成されている。周壁６２の外周面には、この駆動竜頭５６を回転操作する作業者の指が滑ることを防ぐための筋目ローレット６０が形成されている。
【００４４】
軸部材５８は、先端側の一部分を除いて軸線に対して直交する断面形状が円形であり、全長が弾性材巻真パイプ４４の全長よりも長く形成されている。軸部材５８は、先端側の外周部の一部が平面状に加工されて段差６６が形成されている。軸部材５８の平面状に加工された部分は、軸線に対して直交する断面形状がＤの字形状とされている。以後、本明細書において、軸部材５８の断面形状がＤの字形状とされている部分を異形断面軸部材５８Ａと呼ぶ。
【００４５】
軸部材５８において、駆動竜頭５６側の根元から段差６６までの外周面がなす径（直径）は、一定で、かつ、弾性材巻真パイプ４４の小径部４４Ｂの内径より僅かに小さい。以後、軸部材５８において、径が一定の部分を一定径軸部材５８Ｂと呼ぶ。この一定径軸部材５８Ｂは、弾性材巻真パイプ４４の小径部４４Ｂの孔に挿入された状態で回転自在となっている。
【００４６】
軸部材５８の一定径軸部材５８Ｂには、その長手方向中間部に周方向に連続する環状の取付溝６８が形成されている。この取付溝６８には、弾性材巻真パイプ４４と軸部材５８との間の隙間をシールするリング状のパッキン７０が収容されている。
【００４７】
図３に示すように、軸部材５８の異形断面軸部材５８Ａには、駆動竜頭５６の回転を内転リング２０に伝達する駆動歯車７２が取付けられている。図４に示すように、駆動歯車７２には、異形断面軸部材５８Ａの断面形状に対応した形状を有する嵌合孔７４が形成されており、この嵌合孔７４に軸部材５８の異形断面軸部材５８Ａが嵌合されている。異形断面軸部材５８Ａの先端側には周方向に連続する環状の溝７６が形成されており、この溝７６に止輪７８を取付けることにより、駆動歯車７２が止輪７８と段差６６との間の異形断面軸部材５８Ａにおいて回り止めされた状態に取り付けられている。
【００４８】
これにより、駆動歯車７２は、内転リング２０の被動歯車部２８に対して常時に噛合っている。
【００４９】
図５、及び図６に示すように、駆動竜頭５６の周壁６２の内周面には、径方向内側に向けて突出する３個の突起８０が、周方向に等間隔で形成されている。図５に示すように、突起８０は、駆動竜頭５６の軸方向から見て、頂部が円弧状とされた山型形状に形成されている。この突起８０は、本発明の係合部としての突起の一例である。
【００５０】
図３、及び図５に示すように、弾性材巻真パイプ４４の大径部４４Ａは、駆動竜頭５６の周壁６２と軸部材５８との間の環状の空間部分に挿入されている。
【００５１】
通常時は、図５に示すように駆動竜頭５６の突起８０が、弾性材巻真パイプ４４の歯４６Ａと歯４６Ａとの間の谷部４８に入り込んで、一方の歯４６Ａの傾斜面と他方の歯４６Ａの傾斜面とに接触している。言い換えれば、駆動竜頭５６の突起８０は、二つの歯４６Ａの間に挟まれた状態で保持されている。
【００５２】
（作用、効果）
以下に、本実施形態の腕時計１０の作用、効果について説明する。
通常時（駆動竜頭５６の非操作時）は、図５に示すように駆動竜頭５６の突起８０が、弾性材巻真パイプ４４の歯４６Ａと歯４６Ａとの間の谷部４８に入り込んで、突起８０が二つの歯４６Ａの間に挟まれた状態で保持されているので、駆動竜頭５６が何らかの物体に接触した場合等において、駆動竜頭５６の不用意な回転が抑制される。言い換えれば、駆動竜頭５６を回転させるには、弾性変形片５２を変形させなければならず（詳しくは後述する）、駆動竜頭５６を回転させるためにある程度のトルク（例えば、作業者が駆動竜頭５６を回そうとする意図的なトルク）が必要となるので、駆動竜頭５６が何らかの物体に接触した程度の力で駆動竜頭５６が回転してしまうことは抑制できる。
【００５３】
本実施形態の腕時計１０は、駆動歯車７２が内転リング２０の被動歯車部２８に常に噛合っているにも拘わらず、携帯時等における内転リング２０の不用意な回転、及び駆動竜頭５６の空回りを抑制することができる。
【００５４】
このように駆動竜頭５６が不用意に回転されることが抑制されて、内転リング２０の誤動作が抑制されるので、この内転リング２０の表示２６と文字板１４の時刻表示目盛２２、または時刻表示針１６との関係で定められた機能（例えばタイマー機能等）が、不用意に狂うことを抑制できる。
【００５５】
ここで、内転リング２０を回転させる場合には、作業者が駆動竜頭５６を指で撮んで駆動竜頭５６を回転させる。駆動竜頭５６を回転させると、駆動竜頭５６に取り付けた駆動歯車７２が内転リング２０の被動歯車部２８を回転させ、被動歯車部２８の設けられた内転リング２０が回転される。
【００５６】
駆動竜頭５６を回転させると、駆動竜頭５６の内周面に形成された突起８０が弾性材巻真パイプ４４の歯４６Ａの側面を押圧して、弾性変形片５２は径方向内側へ傾斜するように弾性変形する。さらに、駆動竜頭５６の回転を継続すると、突起８０は、歯４６Ａの頂部を乗り越えて谷部４８を脱出し、乗り越えた歯４６Ａと乗り越えた歯４６Ａに隣接する他の歯４６Ａとの間の次の谷部４８に入り込む。突起８０が次の谷部４８に入り込むと、径方向内側へ弾性変形された弾性変形片５２が元の位置まで弾性復帰する。
【００５７】
このように駆動竜頭５６を回転させ、突起８０が歯４６Ａの頂部を乗り越えて突起８０が次の谷部４８に入り込むことで、クリック感が得られ、作業者は、駆動竜頭５６が回転していることを知覚的に判断することができる。
【００５８】
上記のようにクリック感を得るためのクリック構成として、駆動竜頭５６と弾性材巻真パイプ４４との２部品で構成できるので、クリック機構を簡単な構成で実現することができる。
【００５９】
また、駆動竜頭５６の突起８０が、弾性材巻真パイプ４４の歯４６Ａと歯４６Ａとの間の谷部４８に入り込んで、突起８０が二つの歯４６Ａの間に接触して挟まれた状態で保持されているので、駆動竜頭５６の回転方向のがたつきも抑制される。
【００６０】
さらに、クリック機構は、貫通孔４２に弾性材巻真パイプ４４を挿入した後、弾性材巻真パイプ４４に駆動竜頭５６の軸部材５８を挿入させ、軸部材５８の先端側に駆動歯車７２を止輪７８で固定するという簡単な作業で組立を行うことができる。本実施形態では、軸部材５８を挿入する際、特許文献１のようにバネによる反発が無いので、組み込み作業がし易い。
【００６１】
なお、本実施形態の腕時計１０では、弾性材巻真パイプ４４に形成された筋目ローレット４６において１８個の歯４６Ａが形成されていたが、筋目ローレット４６における歯４６Ａの数は、１８個未満であってもよく、１８個より多くてもよい。
【００６２】
本実施形態の腕時計１０では、弾性材巻真パイプ４４の外周部に１８個の谷部４８が形成されているので、駆動竜頭５６を１回転させるとクリック感（突起８０が一つの歯４６Ａを乗り越えると１クリック）が１８回得られる。
【００６３】
駆動歯車７２の歯数、被動歯車部２８の歯数、及び駆動竜頭５６の１回転当たりのクリックの数を調整し、駆動竜頭５６のクリック数と内転リング２０の回転角度とを対応させ、作業者が対応関係を把握しておけば、作業者は、駆動竜頭５６を回転させたときのクリック数を数えることで、内転リング２０を目視せずとも、予め決めた所定の回転角度だけ内転リング２０を回転させることが可能となる。
【００６４】
例えば、内転リング２０が時間を把握する目的のものであれば、駆動竜頭５６のクリック数と、内転リング２０の回転角度（表示２６の時間）とを対応させ、内転リング２０が方位を把握する目的のものであれば、駆動竜頭５６のクリック数と、内転リング２０の回転角度（方位角度）とを対応させることができる。
【００６５】
なお、通常時（駆動竜頭５６の非操作時）において、少なくとも駆動竜頭５６の突起８０が、弾性材巻真パイプ４４の二つの歯４６Ａの間に接触して挟まれた状態で保持されていればよく、このときに弾性変形片５２は変形していなくてもよいし、突起８０に押圧されて径方向内側へ若干変形していてもよい。弾性変形片５２が突起８０に押圧されて径方向内側へ若干変形させられた状態とすることで、駆動竜頭５６を回転させる際に必要なトルクを高くすることでき、駆動竜頭５６の不用意な回転をより一層抑制することができる。
【００６６】
［第２の実施形態］
本発明の第２の実施に係る腕時計１０を図７〜図１０にしたがって説明する。なお、第１の実施形態と同一構成には同一符号を付し、その説明は省略する。
【００６７】
図７に示すように、本実施形態の腕時計１０では、ケース１２の貫通孔４２に第１の実施形態とは異なる形状の弾性材巻真パイプ８２が挿入されている。図７〜図９に示すように、本実施形態の弾性材巻真パイプ８２は、円筒状に形成された小径部８２Ｂの一方側に、断面六角形状の筒状とされた大径部８２Ａを備えている。大径部８２Ａには、６個の角部の一つおきに軸方向に沿って延びる割り溝８４が形成されている。割り溝８４は、大径部８２Ａの小径部８２Ｂ側とは反対側の端部から、段付き部分の近傍まで形成されている。即ち、割り溝８４の溝底は、段付き部分の近傍に位置している。
【００６８】
図８に示すように、大径部８２Ａにおいて、割り溝８４と割り溝８４との間は、軸方向から見て山型に曲がった弾性変形片８６とされている。なお、弾性変形片８６の周方向に凹凸した内周部が、本発明の係合部の一例である。
【００６９】
図７に示すように、大径部８２Ａの外周面には、割り溝８４の溝底の外側に環状溝８８が形成されており、弾性変形片８６の基部の厚みを減少させている。この弾性変形片８６の厚みが減少した部分が、本発明の薄肉部の一例である。これにより、弾性変形片８６は、環状溝８８を支点として径方向内外方向に傾斜するように弾性変形可能となっている。
【００７０】
図７、及び図９に示すように、本実施形態の駆動竜頭５６と軸部材９２とが別体で構成されている。なお、駆動竜頭５６、及び軸部材９２が、本発明の竜頭の一例である。
【００７１】
図１０に示すように、本実施形態の駆動竜頭５６は、リング状の周壁９４と、この周壁９４の一端を閉じる端壁９６を有するキャップ状に形成されている。周壁９４の外周面には、筋目ローレット６０が形成されている。本実施形態の周壁９４は、内周面が一定径に形成されている。なお、端壁９６の中央には、後述する軸部材９２の雄螺子９８が捩じ込まれる雌螺子１００が形成されている。
【００７２】
図７、及び図９に示すように、本実施形態の軸部材９２は、前述した第１実施形態の軸部材５８と同様に、一定径軸部材５８Ｂ、段差６６、異形断面軸部材５８Ａを備えているが、一定径軸部材５８Ｂの異形断面軸部材５８Ａ側とは反対側には、一定径軸部材５８Ｂよりも大径に形成された大径軸部１０２と、雄螺子９８とを備えている。
【００７３】
図８、及び図９に示すように、大径軸部１０２の外周面には、筋目ローレット１０４が形成されている。筋目ローレット１０４には、軸方向に沿って延びる山形(本実施形態では三角形）の歯１０４Ａが周方向に等間隔で配置されている。本実施形態では、大径部８２Ａの外周面に１８個の歯１０４Ａが形成されている。歯１０４Ａは、先細り形状が好ましく、三角形に制約されず、例えば、三角形の先端が丸みを帯びて形成されていてもよく、二等辺台形状等であってもよい。ここで、歯１０４Ａと歯１０４Ａとの間の凹部分は、本明細書において、谷部１０６と呼ぶ。なお、歯１０４Ａ、及び谷部１０６が、本発明の凹凸部の一例である。
【００７４】
図７、及び図８に示すように、弾性材巻真パイプ８２の大径部８２Ａは、駆動竜頭５６の周壁９４と軸部材９２の大径軸部１０２との間の環状の空間部分に挿入されている。なお、弾性材巻真パイプ８２の大径部８２Ａと駆動竜頭５６の周壁９４との間には、弾性変形片８６の径方向外側への変形を許容する隙間が設けられている。
【００７５】
通常時は、図８に示すように、弾性材巻真パイプ８２の弾性変形片８６の周方向端部の内側角部が大径軸部１０２の歯１０４Ａと歯１０４Ａとの間の谷部１０６に入り込んでおり、一方の歯１０４Ａの頂部に弾性変形片８６の内周面が接触し、他方の歯１０４Ａの傾斜面に弾性変形片８６の内側角部が接触している。
【００７６】
（作用、効果）
以下に、本実施形態の腕時計１０の作用、効果について説明する。
内転リング２０を回転させるには、第１の実施形態と同様に駆動竜頭５６を回転させることで、内転リング２０が回転される。
【００７７】
本実施形態では、駆動竜頭５６を回転させると、弾性変形片８６が軸部材９２の歯１０４Ａに押圧されて、弾性変形片８６が径方向外側へ傾斜するように弾性変形する。さらに、駆動竜頭５６の回転を継続すると、弾性変形片８６の内側角部が、歯１０４Ａの頂部を乗り越え、乗り越えた歯１０４Ａと、乗り越えた歯１０４Ａに隣接する他の歯１０４Ａとの間の次の谷部１０６に入り込む。弾性変形片８６の内側角部が次の谷部１０６に入り込むと、弾性変形片８６が元の位置まで弾性復帰する。
【００７８】
このように駆動竜頭５６を回転させ、弾性変形片８６の内側角部が歯１０４Ａの頂部を乗り越えて該内側角部が次の谷部１０６に入り込むことで、クリック感が得られ、作業者は、駆動竜頭５６が回転していることを知覚的に判断することができる。
【００７９】
一方、通常時（非操作時）は、図８に示すように弾性変形片８６の内側角部が、軸部材９２の歯１０４Ａと歯１０４Ａとの間の谷部１０６に入り込んで、保持されているので、駆動竜頭５６が何らかの物体に接触した場合等の、駆動竜頭５６の不用意な回転が抑制される。
したがって、本実施形態においても、第１の実施形態と同様に、駆動歯車７２が内転リング２０の被動歯車部２８に常に噛合っているにも拘わらず、携帯時等における内転リング２０の不用意な回転、及び駆動竜頭５６の空回りを抑制することができる。
【００８０】
上記のようにクリック感を得るためのクリック構成としては、駆動竜頭５６と弾性材巻真パイプ８２との２部品で構成できるので、本実施形態の腕時計１０においても、クリック機構を簡単な構成で実現することができる。
【００８１】
また、弾性変形片８６の内側角部が、駆動竜頭５６の軸部材９２の歯１０４Ａと歯１０４Ａとの間の谷部１０６に入り込んで保持されているので、簡単な構成で駆動竜頭５６が回転方向にがたつくことも抑制される。
【００８２】
さらに、クリック機構は、貫通孔４２に弾性材巻真パイプ８２を挿入した後、弾性材巻真パイプ８２に駆動竜頭５６の軸部材９２を挿入させ、軸部材９２の先端側に駆動歯車７２を止輪７８で固定するという簡単な作業で組立を行うことができる。本実施形態においても、第１の実施形態と同様に、軸部材９２を挿入する際に、特許文献１のようにバネによる反発が無いので、組み込み作業がし易い。
【００８３】
なお、上記説明では、弾性変形片８６の内側角部が、軸部材９２の歯１０４Ａと歯１０４Ａとの間の谷部１０６に入り込んで、駆動竜頭５６が保持されていると説明したが、軸部材９２の２つの歯１０４Ａが、山型に曲がった弾性変形片８６の内周面側の凹部に入り込んで駆動竜頭５６の保持が行われているともいえる。
【００８４】
［第３の実施形態］
本発明の第３の実施に係る腕時計１０を図１１にしたがって説明する。なお、前述した実施形態と同一構成には同一符号を付し、その説明は省略する。
【００８５】
図１１に示すように、本実施形態の腕時計１０は、第２の実施形態の変形例であり、弾性材巻真パイプ８２の形状が第２の実施形態とは若干異なっている。
本実施形態の８２弾性材巻真パイプ８２の大径部８２Ａは円筒状であり、内周面に軸部材９２の歯１０４Ａと歯１０４Ａとの間の谷部１０６に入り込む突起１０８が形成されているものである。なお、本実施形態の作用、効果は第２の実施形態と同様である。
【００８６】
［その他の実施形態］
以上、本発明の一実施形態について説明したが、本発明は、上記に限定されるものでなく、上記以外にも、その主旨を逸脱しない範囲内において種々変形して実施可能であることは勿論である。
【００８７】
第１の実施形態では、駆動竜頭５６の周壁６２の内周面に形成した突起８０を、弾性材巻真パイプ４４の大径部４４Ａの外周部に設けた歯４６Ａと歯４６Ａとの間の谷部４８に入り込ませることでクリック機構を構成したが、本発明はこれに限らず、周壁６２の内周面に形成した凹部に、弾性材巻真パイプ４４の外周面に形成した凸部を入り込ませる構成としてもよい。
【００８８】
上記実施形態では、駆動竜頭５６の回転操作で駆動するケース１２内の機構の一例として内転リング２０を挙げたが、本発明はこれに限らず、駆動竜頭５６の回転操作で駆動する対象は、内転リング２０以外の、例えば、カレンダー、ムーブメント等であってもよい。
【００８９】
上記実施形態では、本発明を適用した腕時計を例にして説明したが、本発明は、腕時計に限らず、腕時計以外の時計にも適用できる。また、時計とは、時刻を表示可能なものであれば特に形状や形態は問わず、時計と呼ばない携帯機器等であってもよい。
【符号の説明】
【００９０】
１０…腕時計（時計）  
１２…ケース
４４…弾性材巻真パイプ(筒部材）
４６Ａ…歯（凹凸部の凸部）
４８…谷部（凹凸部の凹部）
５２…弾性変形片（分割片）
５６…駆動竜頭（竜頭）
５８…軸部材
８０…突起（係合部）
８２…弾性材巻真パイプ（筒部材、内周部が係合部）
８４…割り溝（溝）
８６…弾性変形片（分割片）
９２…軸部材
１０４Ａ…歯（凹凸部の凸部）
１０６…谷部（凹凸部の凹部）  
１０８…突起（係合部）
【図１】
2019152620.tif 000003
【図２】
2019152620.tif 000004
【図３】
2019152620.tif 000005
【図４】
2019152620.tif 000006
【図５】
2019152620.tif 000007
【図６】
2019152620.tif 000008
【図７】
2019152620.tif 000009
【図８】
2019152620.tif 000010
【図９】
2019152620.tif 000011
【図１０】
2019152620.tif 000012
【図１１】
2019152620.tif 000013